(57)【要約】【課題】導光体から出射される光において、長手方向に対して角度の浅い出射光成分を多く含むことによって光の利用効率が悪くなる。また、光源に近い部分と離れている部分では光の角度成分が異なることで照明光量が不均一となる。【解決手段】長手方向に対して角度の浅い出射光成分を導光体１内に回収することで、光利用効率の向上と均一化を図るものであり、線状照明装置に透明層と光制御層を積層したルーバー層８を設けることによって、出射面８６から出射する光の出射角度を光制御層の角度によって制限して、光の利用効率を向上させると同時に、出射光の角度成分が光源４側と反射部９側で出射光の角度成分を制限することにより照度のばらつきを抑える。【選択図】図１
2010147859.tif 000002
【特許請求の範囲】
【請求項１】
透光性を有する柱状の導光体と、前記導光体の一端部に設けられた光源と、前記導光体の外周面の一部に一方の端部から他方の端部に向かって設けられ前記光源から放出された光を屈折・反射させて出射面に向けて収束させる光屈折・反射領域とを有し、
前記導光体の光屈折・反射領域に対向する外周面に設けた前記出射面に光を透過する透明層と光を反射する光制御層を積層して構成されるルーバー層を設けたことを特徴とする線状照明装置。
【請求項２】
前記ルーバー層を構成する光制御層を、前記導光体の端部に対して平行となるように配置したことを特徴とする請求項１に記載の線状照明装置。
【請求項３】
前記ルーバー層を構成する光制御層を、前記出射面の幅方向に対して平行になるように配置したことを特徴とする請求項１に記載の線状照明装置。
【請求項４】
前記ルーバー層を構成する光制御層を、前記導光体の端部に平行である面に対して出射面を起点として前記光源側に向かって傾いて配置したことを特徴とする請求項１に記載の線状照明装置。
【請求項５】
前記ルーバー層を構成する光制御層を、前記出射面の幅方向に対して傾いて配置したことを特徴とする請求項１に記載の線状照明装置。
【請求項６】
前記ルーバー層を構成する光制御層を、略再帰反射をする複数の球状レンズと反射膜で構成したことを特徴とする請求項１に記載の線状照明装置。
【請求項７】
前記ルーバー層を構成する光制御層を、不均一な直径をもち不規則に配置された複数の球状レンズで構成したことを特徴とする請求項６に記載の線状照明装置。
【請求項８】
前記ルーバー層を構成する光制御層を、再帰反射または略再帰反射をするプリズムで構成したことを特徴とする請求項１に記載の線状照明装置。
【請求項９】
前記ルーバー層を、前記光源側から前記導光体の長手方向に向かって幅が次第に広くなり、前記導光体の前記光源に対向する端部において最大幅となるように構成したことを特徴とする請求項１に記載の線状照明装置。
【請求項１０】
前記ルーバー層を、異なる光制御機能を有したルーバー層を多層に積層した構成としたことを特徴とする請求項１に記載の線状照明装置。
【請求項１１】
前記ルーバー層の幅を、前記光屈折・反射領域の幅よりも狭くしたことを特徴とする請求項１に記載の線状照明装置。
【請求項１２】
前記導光体を一端部において第二の導光体に連結するとともに、前記両導光体の連結面をはさんで両端にそれぞれ光源を備え、
前記出射面における前記導光体の長手方向に伸びる中心線を境として一方に前記ルーバー層を、他方に光を反射する反射層を設けたことを特徴とする請求項１に記載の線状照明装置。
【請求項１３】
前記ルーバー層を、前記光源端から前記導光体の長手方向に向かって幅が次第に広くなり、前記導光体の端部での他の導光体に連結した連結面において最大幅となるように構成したことを特徴とする請求項１２に記載の線状照明装置。
【請求項１４】
前記光屈折・反射領域を、前記出射面に設けた前記ルーバー層に向かい合う部分にのみ設けたことを特徴とする請求項１２に記載の線状照明装置。
【請求項１５】
前記導光体の第二の導光体と連結する端部に少なくとも1組の凹部と凸部を設けるとともに、前記第二の導光体における前記導光体と連結する端部において前記導光体の凸部に対向する部分に凹部と前記導光体の凹部に対向する部分に凸部を設け、
前記両導光体の凹部と凸部がはまり合って密着するように導光体と前記第二の導光体とを連結したことを特徴する請求項１２に記載の線状照明装置。
【請求項１６】
請求項１〜１５のいずれか１つに記載の線状照明装置と、この線状照明装置により照明された被照明体からの光を結像するための結像素子と、前記結像素子により結像された光を画像信号に変換するための光電変換素子とを有することを特徴とする密着型イメージセンサ。
【請求項１７】
請求項１６に記載の密着型イメージセンサと、このイメージセンサを駆動制御するための制御部とを有することを特徴とする画像読取システム。
【発明の詳細な説明】
【技術分野】
【０００１】
本発明は、例えば光学的画像読取り装置において、原稿面を主走査方向に線状に照明する線状照明装置及びそれを用いた密着型イメージセンサ及び画像読取システムに関するものである。
【背景技術】
【０００２】
従来の線状照明装置を便宜上、光学的画像読取りシステムを例にとって説明する。
【０００３】
近年、光学的画像読取りシステムは、ファクシミリ、スキャナー、バーコードリーダー等の読み取りシステムとして広く使用されている。以下、図面を参照しながら、上記した従来の光学的画像読み取りシステムに使用されている線状照明装置について説明する。
【０００４】
図１６（ａ）は従来の線状照明装置の側面断面図であり、図１６（ｂ）は図１６（ａ）において線状照明装置をＫ方向から見た平面図、図１６（ｃ）は図１６（ａ）における線状照明装置のＫ−Ｌ面の断面図、図１７は図１６（ａ）における側面断面の拡大図であり、光の進む様子の概略を矢印で示したものである。また、図１８は従来の光学的画像読み取りシステムの概要図であり、図１９は従来の原稿面の照射光を示す光路説明図である。また、図１８に示すように原稿１１３が移動する方向を副走査方向といい、図１９に示すようにロッドレンズアレイ１１１や図示していない導光体の長手方向を主走査方向という。
【０００５】
従来の線状照明装置は、図１６、図１７に示すように柱状の導光体１０１の両端、あるいは一端に光源１０４を配置し、導光体１０１の外周面の一部に一方の端面から他方の端面まで長手方向に光拡散部１０７を形成する。この光源１０４が放射する光は透光性材料からなる導光体１０１を介して伝搬され、光拡散部１０７で反射・拡散し、導光体１０１の光拡散部１０７を設けた一面以外の外周面の表面の出射面１８６より、線状の光として集中して出射することが可能になる（例えば特許文献１参照）。
【０００６】
また、図１８に示すように線状照明装置ＬＬａが原稿１１３に対して垂直に光を照射した場合、光電変換素子アレイ１１２に光を導くロッドレンズアレイ１１１は正反射光を受光する。この正反射光では光量が多すぎるため色の識別が難しく、コントラストが低下してしまう。したがって、図１８に示すように、線状照明装置ＬＬａはロッドレンズアレイ１１１と原稿１１３に対して副走査方向に傾けた位置に配置しており、出射光Ｌ１０１のうち原稿面で拡散反射しロッドレンズアレイ１１１に入射される成分のみが画像信号の変換に利用される構成となっている。
【特許文献１】特許第２９００７９９号公報
【発明の開示】
【発明が解決しようとする課題】
【０００７】
しかしながら、前述した従来の線状照明装置では、図１７、図１８に示すように導光体１０１から出射される出射光Ｌ１０１は線状照明装置ＬＬａの長手方向である主走査方向に対して浅く傾いた光の成分Ｌａ、Ｌｂを多く含む。原稿１１３を照射する光のうち主走査方向に対して浅く傾いた光の成分Ｌａ、Ｌｂが導光体１０１から出射すると、図１９における光の成分Ｌ１０２のようになる。この光の成分Ｌ１０２が原稿１１３で反射すると正反射光Ｌ１０３が多く、拡散反射した光の成分が少なくなるので、ロッドレンズアレイ１１１に入射される成分が少ない。したがって、従来の線状照明装置は光の利用効率が悪いという欠点があった。
【０００８】
また、光源１０４である発光ダイオード（ＬＥＤ）素子に近い部分と離れている部分では光の角度成分が異なり、出射面１８６から出射される光の成分には、主走査方向に対して垂直に近い角度の成分から浅く傾いた成分まで存在する。これは光学的画像読取りシステムにおいて、原稿面の照度を不均一とする原因となり、それを備える密着型イメージセンサ及び画像読取システムでは高画質な読み取りが困難であった。
【０００９】
そこで本発明はこれらの課題を解決するためのもので、ルーバー層によって主走査方向に対して浅く傾いた光の成分が出射することを防ぐことで光の利用効率を向上させ、原稿面の照度のばらつきを抑えることができる線状照明装置を提供することを目的とする。さらに、この線状照明装置を備えることによって高画質な読み取りを可能とする密着型イメージセンサ及び画像読み取りシステムを提供することを目的とする。
【課題を解決するための手段】
【００１０】
上記課題を解決するために本発明の線状照明装置は、透光性を有する柱状の導光体と、前記導光体の端部に設けられた光源と、前記導光体の外周面一部に一方の端部から他方の端部に向かって設けられ前記光源から放出された光を屈折・反射させて光出射面に向けて収束させる光屈折・反射領域とを有し、前記光屈折・反射領域に対向する面に設けた前記出射面に光を透過する透明層と光を反射する光制御層を積層して構成されるルーバー層を設けたことを特徴とする。
【発明の効果】
【００１１】
以上の構成により本発明の線状照明装置は、ルーバー層によって主走査方向に対して浅く傾いた光の成分が出射することを防ぐことができる。したがって、本発明の線状照明装置から出射される光は、原稿面で反射する際にロッドレンズアレイに有効である拡散反射光成分を多く含み、光の利用効率を向上させることができる。また、出射面から出射する光の角度をルーバー層によって制限することにより、原稿面の照射のばらつきを抑えることが可能となり、画像読み取りに適した照明光を照射することができる。
【発明を実施するための最良の形態】
【００１２】
上記課題を解決するためになされた本発明における第１の発明は、透光性を有する柱状の導光体と、前記導光体の一端部に設けられた光源と、前記導光体の外周面の一部に一方の端部から他方の端部に向かって設けられ前記光源から放出された光を屈折・反射させて出射面に向けて収束させる光屈折・反射領域とを有し、前記導光体の光屈折・反射領域に対向する外周面に設けた前記出射面に光を透過する透明層と光を反射する光制御層を積層して構成されるルーバー層を設けたことを特徴とする線状照明装置であって、線状照明装置の長手方向である主走査方向に対して浅く傾いた光の成分の出射を防止することができる。したがって本発明の線状照明装置から出射される光は、原稿面で反射する際にロッドレンズアレイに有効である拡散反射光成分を多く含むため、光の利用効率を向上させることができる。さらに、出射面から出射する光の角度をルーバー層によって制限することにより、原稿面の照射のばらつきを抑えることができる。
【００１３】
上記課題を解決するためになされた本発明における第２の発明は、第１の発明において、前記ルーバー層を構成する光制御層を、前記導光体の端部に対して平行となるように配置したことを特徴とする線状照明装置であって、線状照明装置の長手方向である主走査方向に対して浅く傾いた光の成分の出射を防止することができる。したがって本発明の線状照明装置から出射される光は、原稿面で反射する際にロッドレンズアレイに有効である拡散反射光成分を多く含むため、光の利用効率を向上させることができる。さらに、出射面から出射する光の角度をルーバー層によって制限することにより、原稿面の照射のばらつきを抑えることができる。
【００１４】
上記課題を解決するためになされた本発明における第３の発明は、第１の発明において、前記ルーバー層を構成する光制御層を、前記出射面の幅方向に対して平行になるように配置したことを特徴とする線状照明装置であって、導光体の端面に略平行な光の成分を中心に原稿に対して光を照射することができる。したがって、原稿の皺や折れ曲がりが存在しても影を作ることなく、常に高画質な読み取りを可能とする。
【００１５】
上記課題を解決するためになされた本発明における第４の発明は、第１の発明において、前記ルーバー層を構成する光制御層を、前記導光体の端部に平行である面に対して出射面を起点として前記光源側に向かって傾いて配置したことを特徴とする線状照明装置であって、光制御層を出射面に対してルーバー層に入射する光と同じように傾けることで、出射面に対して垂直に配置される場合よりも光制御層に当たることなく透明層を直接通過する光量が増加するため、照射効率をさらに向上させることができる。
【００１６】
上記課題を解決するためになされた本発明における第５の発明は、第１の発明において、前記ルーバー層を構成する光制御層を、前記出射面の幅方向に対して傾いて配置したことを特徴とする線状照明装置である。したがって、出射面に入射する光の多くは導光体の反射部と平行な面に対して傾斜である成分が多いため、光制御層に当たることなく透明層を直接通過する光量が増加し、照射効率を向上することができる。さらに、原稿の皺や折れ曲がりが存在しても影を作ることなく、常に高画質な読み取りを可能とする。
【００１７】
上記課題を解決するためになされた本発明における第６の発明は、第１の発明において、前記ルーバー層を構成する光制御層を、略再帰反射をする複数の球状レンズと反射膜で構成したことを特徴とする線状照明装置であって、光制御層に入射した光を吸収せず再帰性反射させ、再利用し光の照射効率を向上することができる。
【００１８】
上記課題を解決するためになされた本発明における第７の発明は、第６の発明において、前記ルーバー層を構成する光制御層を、不均一な直径をもち不規則に配置された複数の球状レンズで構成したことを特徴とする線状照明装置であって、光の照射効率を向上するだけでなく、ルーバー層からの導光体内へ戻る周期的な反射光の発生を抑制し、出射光の均一性をより向上することができる。
【００１９】
上記課題を解決するためになされた本発明における第８の発明は、第１の発明において、前記ルーバー層を構成する光制御層を、再帰反射または略再帰反射をするプリズムで構成したことを特徴とする線状照明装置であって、再帰反射をするプリズムの場合は、光制御層のプリズムに入射した光を再帰反射させ再利用し、光の照射効率をさらに向上することができる。また、略再帰反射をするプリズムの場合は、光制御層に入射した光が完全な再帰性反射によって光源に戻るのを防止し、入射した方向の近傍に反射させることで、導光体内における光の照射効率をさらに向上できる。
【００２０】
上記課題を解決するためになされた本発明における第９の発明は、第１の発明において、前記ルーバー層を、前記光源側から前記導光体の長手方向に向かって幅が次第に広くなり、前記導光体の前記光源に対向する端部において最大幅となるように構成したことを特徴とする線状照明装置であって、光源から離れている部分においても光が出射しやすくなり、光源側が明るく光源に対向する端部側の光量が低下することで生じていた照射光量の不均一を解消し、出射光量を均一にすることができる。
【００２１】
上記課題を解決するためになされた本発明における第１０の発明は、第１の発明において、前記ルーバー層を、異なる光制御機能を有したルーバー層を多層に積層して構成したことを特徴とする線状照明装置であって、出射光を主走査方向だけでなく副走査方向に対しても角度を持たせることが可能となり、原稿の浮き彫り等の影響を削減することができるため、常に高画質な読み取りを可能とする。
【００２２】
上記課題を解決するためになされた本発明における第１１の発明は、第１の発明において、前記ルーバー層の幅を、前記光屈折・反射領域の幅よりも狭くしたことを特徴とする線状照明装置であって、原稿面に照射する副走査方向の光出力成分を制御して、原稿面との距離変動による照明光量変動の影響（以下、デフォーカス特性と略記する。）を低減することができるため、常に高画質な読み取りを可能とする。
【００２３】
上記課題を解決するためになされた本発明における第１２の発明は、第１の発明において、前記導光体を一端部において第二の導光体に連結するとともに、前記両導光体の連結面をはさんで両端にそれぞれ光源を備え、前記出射面における前記導光体の長手方向に伸びる中心線を境として一方に前記ルーバー層を、他方に光を反射する反射層を設けたことを特徴とする線状照明装置であって、一方の光源から放射される光を他方の導光体にも多量に入射・供給することができる。したがって、一方の光源からの光を２個の導光体から出射させることで、両側の光源の光量が導光体内で交じり合い、光源の光特性のバラツキを解消し、均一化することができる。
【００２４】
上記課題を解決するためになされた本発明における第１３の発明は、第１２の発明において、前記ルーバー層を、前記光源端から前記導光体の長手方向に向かって幅が次第に広くなり、前記導光体の端部での他の導光体に連結した連結面において最大幅となるように構成したことを特徴とする線状照明装置であって、光源から離れている部分においても光が出射しやすくなり、光源側が明るく連結面側の光量が低下することで生じていた照射光量の不均一を解消し、出射光量を均一にすることができる。
【００２５】
上記課題を解決するためになされた本発明における第１４の発明は、第１２の発明において、前記光屈折・反射領域を、前記出射面に設けた前記ルーバー層に向かい合う部分にのみ設けたことを特徴とする線状照明装置であって、光源から出射された光を一方の導光体内で効率よく反射させ、他方の導光体に導き、照射効率を向上することができる。
【００２６】
上記課題を解決するためになされた本発明における第１５の発明は、第１２の発明において、前記導光体の第二の導光体と連結する端部に少なくとも1組の凹部と凸部を設けるとともに、前記第二の導光体における前記導光体と連結する端部において前記導光体の凸部に対向する部分に凹部と前記導光体の凹部に対向する部分に凸部を設け、前記両導光体の凹部と凸部がはまり合って密着するように導光体と前記第二の導光体とを連結したことを特徴する線状照明装置であって、２つの光源の光量を効率的に混合させて導光体より出射するので、光源による光量バラツキを相殺し、光源の光量特性差による照射光量の不均一を解消できる。
【００２７】
上記課題を解決するためになされた本発明における第１６の発明は、請求項１〜１５のいずれか１つに記載の線状照明装置と、この線状照明装置により照明された被照明体からの光を結像するための結像素子と、前記結像素子により結像された光を画像信号に変換するための光電変換素子とを有することを特徴とする密着型イメージセンサであって、照射効率を落とさずに原稿面の照度のばらつきを抑えることができる線状照明装置を備えることで高画質な読み取りを可能とする。
【００２８】
上記課題を解決するためになされた本発明における第１７の発明は、請求項１６に記載の密着型イメージセンサと、このイメージセンサを駆動制御するための制御部とを有することを特徴とする画像読取システムであって、照射効率を落とさずに原稿面の照度のばらつきを抑えることができる線状照明装置を備えることで高画質な読み取りを可能とする。
【実施例】
【００２９】
以下、均一な照明光の出射に優れた線状照明装置を実現する本発明の実施例について、図面を参照しながら説明する。
【００３０】
（実施例１）
図１は、本実施例１における線状照明装置の基本構成図である。図１（ａ）は、本実施例１における線状照明装置の側面断面図であり、図１（ｂ）は、図１（ａ）における線状照明装置をＡ方向から見た平面図であり、図１（ｃ）は図１（ａ）における線状照明装置をＢ方向から見た平面図である。また、図２は、図１（ａ）における線状照明装置のＡ−Ｂ面の断面図である。
【００３１】
図３は、図１（ａ）における線状照明装置の光源部を拡大した光路説明図であり、光の進む様子の概略を矢印で示したものである。図４（ａ）は、本実施例１におけるルーバー層の構成を示した側断面図であり、図４（ｂ）は、本実施例１におけるルーバー層を出射面側から見た平面図である。また、図５は、本実施例１における原稿面の照射光を示す光路説明図である。
【００３２】
１は導光体であり、その断面形状は図２に示すように楕円形や、円形、または２つの円を組み合わせた形状が考えられるが、以下図２に示す楕円形である場合を例に説明する。導光体１の断面は、図２に示すように楕円形の形状であり、その端面の径は、例えば５ｍｍ程度である。
【００３３】
図１（ａ）、図１（ｂ）、図１（ｃ）に示すように、導光体１は透光性を有する材料で柱状に形成され、光源である発光ダイオード（ＬＥＤ）素子４に近い側の端面からもう一方の他端面の反射部９に向かって断面の径が徐々に小さくなる構成としている。導光体１の材料は光線透過率が８０％以上で屈折率が１．４〜２．２である、例えばアクリル樹脂、ポリカーボネート樹脂、ポリスチレン樹脂、塩化ビニール樹脂、あるいはガラスのような透光性材料を用いる。
【００３４】
導光体１の光屈折・反射領域２以外の外周全表面は滑面である必要がある。よって、導光体１はインジェクション成形法や押しだし法で成形し、必要があればその後、研磨等の処理を行う。
【００３５】
２は光屈折・反射領域で、導光体１の外周面の一部を一方の端面から他方の端面まで長手方向に凹溝状に部分的に切除し、この切除部２０に設けられている。光屈折・反射領域２は、発光ダイオード（ＬＥＤ）素子４から放出された光を光屈折・反射領域２に対向して設けられる出射面８６に収束させる。
【００３６】
導光体１の端部には接続部６を介して回路基板３が配置されている。図示してはいないが接続部６は導光体１と回路基板３を包み込むようにして導光体１と回路基板３を連結する。なお、ネジなどで接続部６と回路基板３を固定しても良い。この回路基板３の導光体１側には凹面状の反射面５が設けられ、反射面５の中央部には光源である発光ダイオード（ＬＥＤ）素子４を配置している。この反射面５は、例えば銅やアルミニウム、樹脂などでコーティングして光を反射し、発光ダイオード（ＬＥＤ）素子４から様々な角度に放出された光が導光体１に向かって進むような形状をしている。
【００３７】
更に、断面の形状が円形でかつ導光体１の径と同じか又はそれより小さい接続部６を設け、接続部６の外周部には接続部６を覆うようにして光拡散層７を設ける。接続部６の径と長さは、導光体１に入射したほとんどの光が導光体１の側面で全反射するように決定される。光拡散層７の材料には樹脂や金属やセラミックス等を利用できるが、小型の導光体では強度が必要でないため白色の樹脂だけでも良いし、大型な導光体になるとアルミニウムを使用することで強度が増して良い。光源からの発熱が多い場合にはセラミックスを使用すると良い。
【００３８】
また、この光拡散層７に入射した光は、拡散反射する。これは、光拡散層７がない場合に、接続部６から直接照射面へ出射する光が多くなり、照度が著しく高くなるのを防ぐためである。光拡散層７の材料としては白色の樹脂にして接続部６と一体構造にするほか、アルミニウムが考えられる。また、接続部６の外面に鏡のような金属蒸着膜やメッキ処理を施しても良い。
【００３９】
８は図４（ａ）に詳しく示すように透明層８１と光制御層８２を積層して構成されたルーバー層であり、光屈折・反射領域２と対向する面を凹溝状に切除し、この切除部８０に空気層８３を得るように空間を隔てて設けられる。ルーバー層８を構成する透明層８１は入射した光をそのまま透過し、光制御層８２はこれに当たった光を反射させる。また、ルーバー層８が空気層８３と接する面に対向する外側の面を出射面８６といい、発光ダイオード（ＬＥＤ）素子４から放射された光はここから導光体１の外部へ出射する。このようなルーバー層８の具体例としては、３Ｍ社製のライトコントロールフィルムなどを挙げることができる。なお、ルーバー層８は図示していないＰＥＴなどのフィルムでラミネートしてもよい。また、光制御層８２は色素を有する遮光性フィルムでもよいが、光反射膜を有するフィルムの方が、光の利用効率を高くできる。
【００４０】
さらに、発光ダイオード（ＬＥＤ）素子４に近い側の端面でないもう一方の端部は、反射部９であり、図示していない光拡散層と光反射層を有している。反射部９は発光ダイオード（ＬＥＤ）素子４が設置されている反射面５の中央部と略平行であり、ルーバー層８の出射面８６に対して略垂直である。
【００４１】
次に、発光ダイオード（ＬＥＤ）素子４から放出された光の進む経路について説明する。
【００４２】
図３に示すように、まず発光ダイオード（ＬＥＤ）素子４から放出した光成分のうち、導光体１の長手方向にほぼ平行な方向に直進する光成分は、そのまま接続部６を通過し導光体１に入射する。一方、導光体１の長手方向に対して傾いて出射した光は、反射面５で反射し接続部６に入射する。接続部６の外周には光拡散層７を設けてあり、光拡散層７に入射した光は拡散反射して導光体１に入射する。
【００４３】
この導光体１に入射された光は、反射部９に向かって進むか、そのまま空気層８３に向かって進むか、もしくは光屈折・反射領域２に入射し角度を曲げて空気層８３に向かって進むという経路のうちいずれかをとることとなる。なお、反射部９に向かった光は反射部９に設けられる光拡散層と光反射層によって拡散、反射され、空気層８３に向かって進むか、もしくは光屈折・反射領域２に入射し角度を曲げて空気層８３に向かって進むこととなる。
【００４４】
そして、空気層８３に向かって進む光のうち、ある一定以上の角度よりも導光体１と空気層８３の境界面に対して浅い角度成分の光は、導光体１と空気層８３の境界面において全反射する。それは、導光体１を成す材料と空気層８３の屈折率の違いによるものである。したがって、空気層８３に向かって進む光の一部は導光体１と空気層８３の境界面において全反射し、全反射した光Ｌｃはさらに反射部９の方に進む。そして導光体１内で屈折・反射を繰り返し、導光体１と空気層８３の境界面において全反射をしない光の角度成分となってルーバー層８に入射する。一方、全反射をしない光は、導光体１から空気層８３を経てルーバー層８に入射される。
【００４５】
図４（ａ）に示すように本実施例１においては、光制御層８２は反射部９に対して平行である。このとき、光制御層８２と出射面８６に対して垂直の面との角度（以下、ルーバー角度という）は０°であり、ルーバー層８に入射した光は、ルーバー層８の厚さ、光制御層８２の間隔Ｐ、ルーバー角度０°によって制限される。
【００４６】
ルーバー層８に入射した光は、透明層８１を透過して出射面８６に向かう。ここで、ルーバー層８に入射した光が光制御層８２に当たらなければ、そのままの角度で外部へ照射される。一方、光制御層８２に当たった光は、光制御層８２で反射し、角度を変えて外部へ照射される。
【００４７】
かかる構成によれば、線状照明装置は、従来例の図１７で図示したような導光体１０１からの出射光ＬａやＬｂのような長手方向への浅い角度での照射を防止する。したがって、図５に示すように、光電変換素子アレイ１２に光を導くロッドレンズアレイ１１に有効となる照明光Ｌ１を原稿１３に供給でき、光の利用効率を向上させることができる。さらに、図１７のように出射光の角度成分が光源１０４である発光ダイオード（ＬＥＤ）素子の近くで出射する光Ｌａと遠くで出射するＬｂでは異なるという従来課題に対して、出射角度をルーバー層８で制限したことで照度を均一化できる。
【００４８】
また、図４（ｂ）に示すように、ルーバー層８の光制御層８２は出射面８６において反射部９と平行になるように配置されており、導光体１の端面に略平行な光の成分を中心に原稿１３に対して光を照射することができる。かかる構成によれば、原稿１３の皺や折れ曲がりが存在しても影を作ることなく、常に高画質な読み取りを可能とする。
【００４９】
（実施例２）
本実施例２は、実施例１にて説明したルーバー層８を構成する光制御層８２を、導光体１の反射部９と略平行である面に対して、出射面８６を起点として発光ダイオード（ＬＥＤ）素子４側に向かって傾かせ、ルーバー角度をθ°としたものである。
【００５０】
図６（ａ）は、本実施例２におけるルーバー角度をθ°に傾けた場合のルーバー層の断面図で、図６（ｂ）は、本実施例２におけるルーバー層を出射面側から見た平面図である。図７は、本発明の実施例２における空気層８３とルーバー層８の側断面を拡大した光路説明図であり、ルーバー層８から出射する光の進む様子の概略を矢印で示したものである。
【００５１】
図６（ａ）、図７に示すように、ルーバー層８のルーバー角度はθ°である。導光体１から出射される光はルーバー層８に対して垂直に入射する光Ｌ０、光制御層８２に対して平行に入射する光Ｌθ、光制御層８２に当たることなく出射面８６より出射する限界の角度を持つ光Ｌα、光制御層８２に当たることで出射面８６に対して垂直に近い角度に変わって出射する光Ｌβなどである。したがって、ルーバー角度をθ°に傾けることにより、出射面８６から出射する光の出射面８６に対する角度は０°からα°に制限される。
【００５２】
発光ダイオード（ＬＥＤ）素子４から導光体１に入射して、導光体１内を反射してルーバー層８に入射される光は導光体１の端面に対して斜めからの光成分が多い。したがって、ルーバー角度をルーバー層８に入射する光と同じように傾かせた場合は、ルーバー角度０°の場合より光制御層８２に当たる光量が少なくなる。
【００５３】
かかる構成によれば、ルーバー層８に入射した光のうち、光制御層８２に当たることなく透明層８１を直接通過する光量が増加して光の照射効率を向上できる。
【００５４】
また、図１８に示すように従来の線状照明装置ＬＬａはロッドレンズアレイ１１１と原稿１１３に対して副走査方向に傾いており、ロッドレンズアレイ１１１から副走査方向に離して配置している。これは、線状照明装置ＬＬから照射された光のうち、拡散反射してロッドレンズアレイ１１１に入射される成分のみを画像信号の変換に利用するためである。しかしながら、本実施例２では、主走査方向に傾斜して光照射させることで、線状照明装置ＬＬａを副走査方向に対して離れて傾斜した位置に配置する必要がなくなり、ロッドレンズアレイ１１に近接配置できる。したがって、画像読取システムにおいて、光源である照明装置を密着型イメージセンサ部に近接配置でき、より小型化できる。
【００５５】
さらに、ルーバー層８は、図６（ｂ）に示すように、光制御層８２を出射面８６において反射部９と平行でないように配置させており、出射方向を副走査方向にも直接に傾斜させることができる。かかる構成によれば、出射面８６に入射する光の多くは導光体１の端面と平行な面に対して傾斜である成分が多いため、光制御層８２に当たることなく透明層８１を直接通過する光量が増加し、照射効率を向上することができる。さらに、出射光は副走査方向にも傾斜して原稿面を照射するので、原稿１３の皺や折れ曲がりが存在しても影を作ることなく、常に高画質な読み取りを可能とする。
【００５６】
（実施例３）
本実施例３は、実施例１または実施例２にて図４または図６を用いて説明したルーバー層８の光制御層８２を改良したものである。
【００５７】
図８は、本実施例３におけるルーバー層８の光制御層８２の構成を示す断面図である。
【００５８】
本実施例３において光制御層８２は、フィルム８２１をベースとして、その両面に反射膜８２２を有し、球状レンズ８２３と膠着剤８２４で構成する。反射膜８２２は、アルミニウムや金などの金属を蒸着してコーティングしたものであり、球状レンズ８２３は、膠着剤８２４で反射膜８２２上に固定される。
【００５９】
球状レンズ８２３は、例えば、ガラスビーズを使用し、入射してきた光を入射方向にまっすぐ戻す再帰性反射効果を有している。
【００６０】
かかる構成によれば、ルーバー層８に入射した光のうち光制御層８２に当たった光は光制御層８２に吸収されることなく再帰反射して再利用されるので、光の照射効率が向上する。特に、実施例１、２において、導光体１の反射部９方向から折り返して発光ダイオード（ＬＥＤ）素子４側へ進む光や、光屈折・反射領域２から反射し発光ダイオード（ＬＥＤ）素子４側へ戻る光は、ルーバー層８に入射した後ルーバー層８内で光制御層８２の間を多重反射し照射出力されるため、照射効率が悪くなる。しかしながら、本実施例３における構成によれば、導光体１の反射部９方向から折り返して発光ダイオード（ＬＥＤ）素子４側へ進む光や、光屈折・反射領域２から反射し発光ダイオード（ＬＥＤ）素子４側へ戻る光を反射部９側へ再帰反射するため、光の照射利用を向上できる。
【００６１】
また、図８では、球状レンズ８２３の大きさが均等なものを敷き詰めた例を図示しているが、大きさが不均一な球状レンズ８２３をランダムに敷き詰めるとなおよい。特に、球状レンズ８２３の大きさは、その直径比を１．５〜２倍以内にするとよい。
【００６２】
かかる構成によれば、光制御層８２の球状レンズ８２３を不規則、かつ、隙間なく敷き詰めることで、ルーバー層８からの導光体１内へ戻る反射光の周期性の発生を抑制し、光の照射効率を向上させるだけでなく出射光の均一性をより向上することができる。
【００６３】
（実施例４）
本実施例４は、実施例１または実施例２にて図４または図６を用いて説明したルーバー層８の光制御層８２を反射層８２ａに置き換えたものである。
【００６４】
図９（ａ）は本実施例４における反射層８２ａの構成を示す断面図である。図４または図６において、ルーバー層８は透明層８１と光制御層８２を積層して構成した。本実施例では図４または図６における光制御層８２を反射層８２ａに置き換えたものであるので、反射層８２ａと透明層８１を交互に積層したものを積層方向に切断して製作される。
【００６５】
反射層８２ａは、高精細にカットした面を備えたプリズム８２６を空気層８２７の空間を隔てて柱部８２５Ｓによってベースとなる樹脂層８２５に接続して構成している。
【００６６】
図９（ｂ）は、本発明の実施例４におけるプリズム８２６の一部の概要を示す平面図である。
【００６７】
キューブコーナーの３面体プリズムの原理で、例えばプリズム面は、３つの面が９０度の角度を構成し、入射光を光源の方向にまっすぐ戻す再帰性反射効果を有している。
【００６８】
かかる構成によれば、ルーバー層８に入射した光のうち反射層８２ａに当たった光は光制御層８２に吸収されるのではなく再帰反射して再利用されるので、光の照射効率が向上する。
【００６９】
なお、プリズム８２６はアクリル樹脂などの透明材料を精密成形して作製できるので、透明層８１を兼ねてもよい。
【００７０】
また、プリズム面の３つの面が形成する角度を９０度から変更した、例えば８５度や１００度にして構成し、入射してきた光を少し角度を変えて戻す略再帰性反射にしてもよい。
【００７１】
かかる構成によれば、反射層８２ａに入射した光がまっすぐ来た方向に戻らないようにすることで、光源の発光ダイオード（ＬＥＤ）素子４まで光が戻ることを防止でき、より光の照射効率を向上できる。
【００７２】
（実施例５）
本実施例５は、実施例１にて説明したルーバー層８を改良したものである。
【００７３】
図１０（ａ）は、本実施例５における線状照明装置の平面図であり、図１０（ｂ）は、図１０（ａ）に示すＣ−Ｄ部での断面図である。
【００７４】
本実施例５では、導光体１は光源側から他端部まで同一の径であり、ルーバー層８の幅を、発光ダイオード（ＬＥＤ）素子４側から反射部９に近いほど広くなるように構成している。したがって、導光体１は円形柱状の下部を反射部９、もしくは２つの導光体１の連結面に近いほど幅が広くなるようにカットした形状として、前記カット部位に空気層８３を隔ててルーバー層８を設けている。ここで、発光ダイオード（ＬＥＤ）素子４は、導光体１の断面中心軸上に配置している。
【００７５】
かかる構成によれば、反射部９に向かって出射面８６の面積が増加しているので、反射部９付近において光が出射しやすくなり、反射部９付近の光の出射量が増加する。したがって、発光ダイオード（ＬＥＤ）素子４の近くが明るく反射部９の付近の光量が低下することで生じていた照射光量の不均一を解消し、発光ダイオード（ＬＥＤ）素子４から反射部９までを均一の光量で照明することができる。
【００７６】
なお、導光体１の径を光源側から反射部９まで同一としているので、押し出し成形した後で、切削して製作することができ、多品種少量生産への対応を安価にできる。
【００７７】
（実施例６）
本実施例６は、実施例１にて説明した線状照明装置を２組使用し、連結して改良したものである。
【００７８】
図１１（ａ）は、本実施例６における線状照明装置の平面図であり、図１１（ｂ）は、本実施例６における出射面を拡大した平面図であり、図１１（ｃ）は、図１１（ａ）における線状照明装置のＥ−Ｆ面を拡大した断面図であり、図１１（ｄ）は、図１１（ａ）における線状照明装置のＧ−Ｈ面の断面図である。
【００７９】
また図１２（ａ）は、本発明の実施例６において主走査方向に光制御層を傾けたルーバー層と、副走査方向に光制御層を傾けたルーバー層を積層して形成したルーバー層の断面図であり、図１２（ｂ）は、本発明の実施例６において図１２（ａ）におけるルーバー層を導光体の端面側から見た断面図である。
【００８０】
図１１（ａ）、図１１（ｂ）に示すように、出射面８６には、出射面８６の副走査方向の中心線を境として、一方に前記ルーバー層８を他方に反射層８４を設けている。反射層８４としては、その反射機能を形成する完全反射膜をパラジウム、鉄、クロム、アルミニウム、銀、ニッケル等の金属もしくはこれら合金の金属薄膜、又はこれらの合金片や粒子を含むインキ等を蒸着法、スパッタ法、転写法、メッキ法、塗装法、印刷法等により形成できる。
【００８１】
図１１（ｃ）と図１１（ｄ）に示すように、例えば図１１（ａ）において左側の導光体１において右側の導光体１と連結する端部１Ｔに少なくとも1組の凹部９２と凸部９１を設ける。また右側の導光体１において左側の導光体１と連結する端部１Ｔには、左側の導光体１の凸部９１に対向する部分に凹部９２と前記導光体の凹部９２に対向する部分に凸部９１を設ける。そして両導光体１は、凹部９２と凸部９１がはまり合って密着するように連結する。この凹部９２と凸部９１は２つの導光体１を連結するとともに、一方の導光体１から他方の導光体６へとより多くの光を効率的に入射させることができる。
【００８２】
図１１（ｄ）に示すように、導光体１を連結する凹部９２と凸部９１の各中心位置を９１ａ、９２ａとすると、凸部９１の中心位置９１ａは、ルーバー層８における反射部９に平行な辺の中心を通り出射面８６に対して垂直に伸びる直線上にある。同様に、凹部９２の中心位置９２ａは、反射層８４における反射部９に平行な辺の中心を通り出射面８６に対して垂直に伸びる直線上にある。また、出射面８６の副走査方向の中心線を境として、凸部９１が設けられている一方に反射層８４を備え、凹部９２が設けられている他方にルーバー層８を備えている。したがって、２つの導光体１を連結させると、一方の導光体１に備えられるルーバー層８と他方の導光体１に備えられるルーバー層８は対角に位置し、２つの反射層８４も同様に対角に位置する。このように部９２と凸部９１を配置することで発光ダイオード（ＬＥＤ）素子４から出力した光の半分は、反射層８４と光屈折・反射領域２の間を繰り返し全反射しながら端部１Ｔまで進み、凹凸部９１、９２に集まった光が凹凸のレンズ形状を通してもう一方の導光体１へ入射することができる。同様に、回路基板３ｂから出力した光量の半分ももう一方の導光体１へ供給され出射される。
【００８３】
かかる構成によれば、２つの発光ダイオード（ＬＥＤ）素子４の光量を効率的に混合させて導光体１より出射するので、発光ダイオード（ＬＥＤ）素子４による光量バラツキを相殺し、発光ダイオード（ＬＥＤ）素子４の光量特性差による照射光量の不均一を解消できる。特に、２つの発光ダイオード（ＬＥＤ）素子４の光量を同一に制御させる構成の線状照明装置において、１つの駆動回路で２つの発光ダイオード（ＬＥＤ）素子４を並列接続して駆動させ、発光ダイオード（ＬＥＤ）素子４の光量特性差による不均一を解消することができるため、駆動回路のコストを低減できる。また、凸部９１を凸レンズ形状とし、凹部９２を凹レンズ形状とするとなお良い。それは２つの導光体１の連結面において、一方の導光体１から他方の導光体１へと光がより効率的に入射しやすくなるためである。
【００８４】
また、２つの導光体１では出射面８６となるルーバー層８の中心位置が同一軸上にない構造である。したがって、図１１（ｄ）に示すように、出射した光が原稿１３上で軸中心を照射するように、屈折・反射領域２の一部分２ａの面角度を導光体１の中心軸に向けてわずかに傾けた面にするとよい。
【００８５】
なお、ルーバー層８は、導光体１の両側から光が入射することによって照射光を供給するので、長手方向に対するルーバー角度は０°にすることが好ましい。
【００８６】
また、実施例５にて説明したルーバー層８と同様に、ルーバー層８を発光ダイオード（ＬＥＤ）４素子側から導光体１の長手方向に向かって幅が大きくなり、２つの導光体１が連結する連結面において最大幅となるように構成してもよい。かかる構成によれば、連結面に向かって出射面８６の面積が増加しているので、連結面付近において光が出射しやすくなり、連結面付近の光の出射量が増加する。したがって、発光ダイオード（ＬＥＤ）素子４の近くが明るく連結面の付近の光量が低下することで生じていた照射光量の不均一を解消し、発光ダイオード（ＬＥＤ）素子４から反射部９までを均一の光量で照明することができる。
【００８７】
また、図１２（ａ）、図１２（ｂ）に示すように、ルーバー層８を異なる光制御機能を有したルーバー層を多層に積層した構成としても良い。本実施例６では、例えばルーバー層８を主走査方向に光制御層８２を傾けたルーバー層８ａと、副走査方向に光制御層を傾けたルーバー層８ｂを積層して形成している。出射面８６側に配置されるルーバー層８ｂは、主走査方向に伸びる導光体１の中央軸から鉛直に原稿１３におろした直下軸に向かって傾かせた構造である。したがって、出射方向を副走査方向へ傾斜させることができる。もちろん、多数の光制御機能を有するルーバー層８を積層してルーバー層８を多数層にすることもできる。
【００８８】
かかる構成によれば、出射光を主走査方向だけではなく副走査方向にも角度を持たせて出力することが可能となる。したがって、原稿の浮き等によって発生する影の影響を抑え、常に高画質の読み取りをすることができる。なお、ルーバー層８を異なる光制御機能を有したルーバー層を多層に積層して構成することは、本実施例６に示すような２組の導光体１と発光ダイオード（ＬＥＤ）素子４を使用した線状照明装置において特に有効であるが、１組の導光体１と発光ダイオード（ＬＥＤ）素子４を使用した線状照明装置においても効果を発揮する。
【００８９】
（実施例７）
本実施例７は、実施例６にて説明した線状照明装置の光屈折・反射領域２を改良したものである。
【００９０】
図１３（ａ）は、本実施例７における線状照明装置の側面断面図り、図１３（ｂ）は、図１３（ａ）において線状照明装置をＩ方向から見た平面図、図１３（ｃ）は、図１３（ａ）において線状照明装置をＪ方向から見た平面図である。また、図１３（ｄ）は、図１３（ａ）において線状照明装置のＩ−Ｊ面の断面図であり、図１３（ｅ）は、図１３（ａ）において光屈折・反射領域２の形状を示す拡大図である。
【００９１】
図１３（ｃ）に示すように、実施例６と同様に出射面８６には、出射面８６の副走査方向の中心線を境として、一方に前記ルーバー層８を、他方に反射層８４を設けている。また図１３（ｂ）、図１３（ｄ）に示すように、光屈折・反射領域２の幅は、出射面８６の副走査方向の中心線から出射面８６に対して垂直に伸ばした直線と導光体１の外周表面の交わる点に接するように制限される。また、光屈折・反射領域２は出射面８６に対抗する面のうちルーバー層８にのみ向かい合う部分にのみ設けられる。したがって、反射層８４に向かい合う面に光屈折・反射領域２は存在しない。さらに、ルーバー層８の幅は、屈折・反射領域２の幅より狭くするとなおよい。
【００９２】
かかる構成によれば、発光ダイオード（ＬＥＤ）素子４からの光を導光体１内で効率よく反射させて、もう一方の導光体１に導くことができる。また、原稿１３に対して出射面８６から出射する光をより絞り込むことで、平行光の成分を増加できる。したがって、デフォーカス特性の良い照明光を出射し、常に高画質な読み取りを可能とする。
【００９３】
なお、上記説明では、反射層８４の対向する面には導光体１だけで光屈折・反射領域２が存在しないとしたが、導光体１の光屈折・反射領域２とルーバー層８のある領域以外に、反射層８４や完全反射膜を設けてもよい。かかる構成によれば、導光体１から漏れて出る光を防止して、より光の利用効率を向上できる。また、ルーバー層８の幅を光屈折・反射領域２の幅より狭くした構成は本実施例７に示すような２組の導光体１と発光ダイオード（ＬＥＤ）素子４を使用した線状照明装置において特に有効であるが、１組の導光体１と発光ダイオード（ＬＥＤ）素子４を使用した線状照明装置においても効果を発揮する。
【００９４】
さらに、光屈折・反射領域２は粗面と三角波面の構成にしてもよい。図１３（ｅ）に示すように、三角波面のピッチＱは、例えば、１０μｍ〜２０００μｍで、山の高さ５μｍ〜１０００μｍにした三角波面（又はのこぎり波面）で実施できる。
【００９５】
（実施例８）
本実施例８は、光屈折・反射領域２を多数の三角波面で構成し、その光屈折・反射領域２上に光学的マッチングをしない空間（例えば空気層）を隔てて、拡散効果の強い白色樹脂のシートや反射効果の強いアルミニウムシートよりなる拡散面を設けられる構成としたものである。
【００９６】
かかる構成によれば、光屈折・反射領域２から外部へ漏れる光を拡散反射させることで、光の利用効率を向上できる。
【００９７】
また、本発明において発光ダイオード（ＬＥＤ）素子４は、異なる発光色を有する複数の素子を１パッケージにした発光ダイオード（ＬＥＤ）を使用してもよい。例えば、Ｒ・Ｇ・Ｂ色の３個の発光素子を１パッケージに搭載した発光ダイオード（ＬＥＤ）を光源とする。
【００９８】
かかる構成によれば、Ｒ・Ｇ・Ｂを独立して光量制御でき、照明光のカラーバランスを可変できる。さらに、カラーフィルタを有して多数列の光電変換素子を備えるカラー用密着型イメージセンサの替わりに、Ｒ・Ｇ・Ｂの光源を時間的に分割して別々に点灯させることで、安価なモノクロ用密着型イメージセンサにてカラー情報を読取ることができる。
【００９９】
（実施例９）
本実施例９は、本発明の線状照明装置を密着型イメージセンサに使用したものである。
【０１００】
図１４は、これまで説明した実施例１から実施例８までの線状照明装置ＬＬを用いた本発明の実施例９における密着型イメージセンサの構成を示した模式図である。図１１はロッドレンズアレイ１１と光電変換素子アレイ１２を図５において原稿１３側から見た図となっている。
【０１０１】
密着型イメージセンサは、線状照明装置ＬＬとロッドレンズアレイ１１と光電変換素子アレイ１２をライン状に配置した光電変換回路基板３１と反射板１４を備えている。
【０１０２】
線状照明装置ＬＬより出射した照明光は、記載されていない原稿で反射され、画像を読取るための拡散反射した光はロッドレンズアレイ１１に入射され、光電変換素子アレイ１２にてデータに変換される。
【０１０３】
また、例えば、白色のプラスチックシートで構成された反射板１４には、ロッドレンズアレイ１１に利用されず原稿面上で正反射した成分の光を多く含む反射した光が入射され、反射板１４上で光を拡散反射して原稿面を照明し再利用される。さらに、原稿面上での光量を増加させるために、前記反射板１４は原稿面に対して読取り位置の光量が最大になるように傾斜させ、その形状を平面ではなく曲面で構成することもできる。
【０１０４】
かかる構成によれば、照射効率を落とさずに原稿面の照度のばらつきを抑えることができる線状照明装置を備えることで高画質な読み取りを可能とする。さらに、線状照明装置ＬＬはロッドレンズアレイ１１に近接させて配置できるので密着型イメージセンサを小型化できる。
【０１０５】
もちろん、反射板１４の替わりに２個目の線状照明装置ＬＬを設けて、より高い光量を供給して密着型イメージセンサの読取り速度を向上させることもできる。
【０１０６】
（実施例１０）
本実施例１０は、実施例９に示された密着型イメージセンサを画像読取システムに使用したものである。
【０１０７】
図１５は、本発明の実施例１０における画像読取システムの基本構成図である。
【０１０８】
画像読取システムＳは密着型イメージセンサＲ、ガラス１５、密着型イメージセンサＲを駆動制御するための制御部であるモーター１６と支持シャフト１７と駆動用シャフト１８、原稿押えカバー１９を備えている。
【０１０９】
画像読取システムＳは、図示しない操作部を操作することにより、光を透過するガラス１５の上に置かれた状態の原稿１３の画像情報を読取るために密着型イメージセンサＲが備えている線状照明装置ＬＬは原稿１３に対して光を照射する。また、密着型イメージセンサＲは支持シャフト１７上をモーター１６によって回転する駆動用シャフト１８により平行に配置された２本のシャフト上を移動する。よって、密着型イメージセンサＲをモーター１６でガラス１５に平行に移動させながら、原稿１３からの反射光はロッドレンズアレイで集光され光電変換素子アレイに入射し、光電変換素子アレイで電気信号に変換され、図示しない情報処理装置へ出力される。
【０１１０】
かかる構成によれば、照射効率を落とさずに原稿面の照度のばらつきを抑えることができる線状照明装置を備えることで高画質な読み取りを可能とする。さらに、この画像読取システムを安価かつ小型画に実現することができる。
【産業上の利用可能性】
【０１１１】
本発明によれば、原稿面への照明において、光の利用効率が高く、均一な照度を提供する線状照明装置を可能とし、低コストで、高品質、高分解能で画像を読取れる小型・軽量の光学的画像読取システムを実現することができる。
【図面の簡単な説明】
【０１１２】
【図１】（ａ）本発明の実施例１における線状照明装置の側面断面図、（ｂ）同図１（ａ）における線状照明装置をＡ方向から見た平面図、（ｃ）同図１（ａ）における線状照明装置をＢ方向から見た平面図
【図２】同図１（ａ）における線状照明装置のＡ−Ｂ面の断面図
【図３】同図１（ａ）における線状照明装置の光源部を拡大した光路説明図
【図４】（ａ）本発明の実施例１におけるルーバー層の構成を示した側断面図、（ｂ）同実施例１におけるルーバー層を出射面側から見た平面図
【図５】本発明の実施例１における原稿面の照明光を示す光路説明図
【図６】（ａ）本発明の実施例２におけるルーバー角度をθ°に傾けた場合のルーバー層の断面図、（ｂ）同実施例２におけるルーバー層を出射面側から見た平面図
【図７】同実施例２における空気層とルーバー層の側断面を拡大した光路説明図
【図８】本発明の実施例３におけるルーバー層の光制御層の構成を示す断面図
【図９】（ａ）本発明の実施例４におけるルーバー層の光制御層を反射層にした構成を示す断面図、（ｂ）同実施例４におけるプリズムの一部の概要を示す平面図
【図１０】（ａ）本発明の実施例５における線状照明装置の平面図、（ｂ）同図１０（ａ）に示すＣ−Ｄ部での断面図
【図１１】（ａ）本発明の実施例６における線状照明装置の平面図、（ｂ）同実施例６における出射面を拡大した平面図、（ｃ）図１１（ａ）における線状照明装置のＥ−Ｆ面を拡大した断面図、（ｄ）同図１１（ａ）における線状照明装置のＧ−Ｈ面の断面図
【図１２】（ａ）、（ｂ）同実施例６においてルーバー角度の異なる２つのルーバー層を重ねて形成した場合を示した断面図
【図１３】（ａ）本発明の実施例７における線状照明装置の側面断面図、（ｂ）図１３（ａ）において線状照明装置をＩ方向から見た平面図、（ｃ）同図１３（ａ）において線状照明装置をＪ方向から見た平面図、（ｄ）同図１３（ａ）において線状照明装置のＩ−Ｊ面の断面図、（ｅ）同図１３（ａ）において光屈折・反射領域の形状を示す拡大図
【図１４】本発明の実施例９における密着型イメージセンサの模式図
【図１５】本発明の実施例１０における画像読取システムの基本構成図
【図１６】（ａ）従来の線状照明装置の側面断面図、（ｂ）図１６（ａ）における線状照明装置をＫ方向から見た平面図、（ｃ）図１６（ａ）における線状照明装置のＫ−Ｌ面の断面図
【図１７】図１６（ａ）における側面断面の拡大図
【図１８】従来の光学的画像読み取りシステムの概要図
【図１９】従来の原稿面の照明光を示す光路説明図
【符号の説明】
【０１１３】
１    導光体
２    光屈折・反射領域
３    回路基板
４    発光ダイオード（ＬＥＤ）素子
５    反射面
６    接続部
７    光拡散層
８    ルーバー層
９    反射部
１１    ロッドレンズアレイ
１２    光電変換素子アレイ
１３    原稿
１４    反射板
１５    ガラス
１６    モーター
１７    支持シャフト
１８    駆動用シャフト
１９    原稿押えカバー
３１    光電変換回路基板
８１    透明層
８２    光制御層
８３    空気層
８４    反射層
８６    出射面
ＬＬ    線状照明装置
Ｌ１    照明光
Ｒ    密着型イメージセンサ
Ｓ    画像読取システム
【図１】
2010147859.tif 000003
【図２】
2010147859.tif 000004
【図３】
2010147859.tif 000005
【図４】
2010147859.tif 000006
【図５】
2010147859.tif 000007
【図６】
2010147859.tif 000008
【図７】
2010147859.tif 000009
【図８】
2010147859.tif 000010
【図９】
2010147859.tif 000011
【図１０】
2010147859.tif 000012
【図１１】
2010147859.tif 000013
【図１２】
2010147859.tif 000014
【図１３】
2010147859.tif 000015
【図１４】
2010147859.tif 000016
【図１５】
2010147859.tif 000017
【図１６】
2010147859.tif 000018
【図１７】
2010147859.tif 000019
【図１８】
2010147859.tif 000020
【図１９】
2010147859.tif 000021